(57)【要約】      （修正有）【課題】永年使用しても癖が付き難く元の直立状態にすることができる綴じ足を提供する。【解決手段】足部１２は、座体１６に連設され、前記足部１２は、被綴じ物Ｘの厚さより若干高い長さを有する、撓めることが可能で復元力のある直立状の柱状体１８，４１８と、被綴じ物Ｘの綴じ孔Ｘ1及び押さえ体３の貫挿孔５に貫挿される形状で、前記柱状体１８，４１８の外周を被覆し、且つ、押さえ体３に貫挿されて押さえ体３に係止されるように前記柱状体１８，４１８より長く形成された、柔軟性を有する管状の足本体２０とを備え、前記座体１６は、前記足本体２０と柔軟性を有する合成樹脂で一体成形され、前記足本体２０の根元部において前記柱状体１８，４１８を足本体２０の中空部２４，４２４内に貫挿するための貫通孔２２が形成され、シート体に固定されるように形成されている。【選択図】図１
2006263917.tif 000002
【特許請求の範囲】
【請求項１】
被綴じ物に当接されるシート体に、足部の根元近傍で固定され、且つ、被綴じ物に貫挿された足部を、被綴じ物をシート体に向けて押える押さえ体に貫挿させるように形成された、綴じ足であって、
足部は、座体に連設され、
前記足部は、
被綴じ物の厚さより若干高い長さを有する、撓めることが可能で復元力のある直立状の柱状体と、
被綴じ物の綴じ孔及び押さえ体の貫挿孔に貫挿される形状で、前記柱状体の外周を被覆し、且つ、押さえ体に貫挿されて押さえ体に係止されるように前記柱状体より長く形成された、柔軟性を有する管状の足本体とを備え、
前記座体は、前記足本体と柔軟性を有する合成樹脂で一体成形され、前記足本体の根元部において前記柱状体を足本体の中空部内に貫挿するための貫通孔が形成され、シート体に固定されるように形成された、綴じ足。
【請求項２】
前記柱状体は、コイルばねからなる、請求項１に記載の綴じ足。
【請求項３】
前記座体は、長さ方向を備え、
複数の足部が、ファイル・バインダー類の規格に合う間隔をおいて、座体から突き出し設けられた、請求項１または２に記載の綴じ足。
【請求項４】
被綴じ物に当接されるシート体に、足部の根元近傍で固定され、且つ、被綴じ物に貫挿された足部を、被綴じ物をシート体に向けて押える押さえ体に貫挿させるように形成された、綴じ足であって、
前記足部は、座体に連設され、
前記足部は、被綴じ物の綴じ孔及び押さえ体の貫挿孔に貫挿される形状で直立性を有し、撓めて押さえ体に係止されるように、中空部の内面に可撓性付与部が形成された管状の足本体を備え、
前記足本体は、撓めることが可能で復元力により直立するように、被綴じ物の厚さより若干高い高さまで可撓性付与部が形成され、
前記座体は、足本体と柔軟性を有する合成樹脂で一体成形され、前記足本体の根元部において前記可撓性付与部を形成するための貫通孔が形成され、シート体に固定されるように形成された、綴じ足。
【発明の詳細な説明】
【技術分野】
【０００１】
この発明は、綴じ足に関し、特に、例えば綴じ穴が形成された書類などをファイル・バインダー類に綴じるために表紙に固定して用いられる綴じ足に関する。
【背景技術】
【０００２】
ファイル・バインダー類に書類などを綴じるために、例えばフラットファイル（ＪＩＳ
Ｓ  ５５０５）に用いられる綴じ足を備えた綴じ具がある。その綴じ具は、表紙と背表紙との間に設けられた綴じ代部に固定されて用箋等の被綴じ物の綴じ穴に貫挿して被綴じ物を綴じる綴じ足を有しているが、この綴じ足は、合成樹脂製のものが一般的である。ところが、被綴じ物を綴じ足に綴じた状態で長く保管しておくと、綴じ足に曲がった状態における癖が付き、綴じ足は元の直立した状態には戻らない。
また、コイルばねを用いた綴じ足があるが、この綴じ足はコイルばねを撓めて用箋等の被綴じ物を綴じたとき、コイルばねが撓むために隙間が生じ、その隙間内に用箋等が挟まり用箋等の取り外しに支障をきたすときもある。
しかも、このようなコイルばねをファイル・バインダー類の表紙の綴じ代に取り付けるためには、コイルばねの根元に綴じ代に取り付けるための加工が必要となるが、コイルばねが小形であるため、その加工において大変な作業が必要となる。
【０００３】
そして、スプリングを用いる綴じ具において、スプリング内部及びコイルの間にまで射出されたポリプロピレン、ナイロン等の合成樹脂材が入って合成樹脂とスプリングが一体化されていることを特徴とする綴じ具が提案されている。
【０００４】
【特許文献１】実開昭５８−１３０７７６号公報
【発明の開示】
【発明が解決しようとする課題】
【０００５】
この特許文献１の綴じ具においては、スプリングの間に合成樹脂材が入っているので、スプリングを撓ませてもスプリングの間に用箋等の被綴じ物が入り込みにくいという特徴を有するが、この綴じ具においても、スプリング内部に射出成形によりポリプロピレン、ナイロン等の合成樹脂材をスプリングと一体化するようにして製造しなければならず、また、スプリングの表紙への取り付けのためにスプリングの根元に合成樹脂材による表紙への取り付け部を形成しなければならないために、製造に手間がかかり、表紙への取り付け作業も大変な手数を要する作業が必要となる。
それゆえ、この発明の主たる目的は、永年使用しても癖が付き難く元の直立状態にすることができ、且つ製造に比較的手数のかからない綴じ足を提供することである。
【課題を解決するための手段】
【０００６】
この発明の請求項１にかかる綴じ足は、被綴じ物に当接されるシート体に、足部の根元近傍で固定され、且つ、被綴じ物に貫挿された足部を、被綴じ物をシート体に向けて押える押さえ体に貫挿させるように形成された、綴じ足であって、足部は、座体に連設され、前記足部は、被綴じ物の厚さより若干高い長さを有する、撓めることが可能で復元力のある直立状の柱状体と、被綴じ物の綴じ孔及び押さえ体の貫挿孔に貫挿される形状で、前記柱状体の外周を被覆し、且つ、押さえ体に貫挿されて押さえ体に係止されるように前記柱状体より長く形成された、柔軟性を有する管状の足本体とを備え、前記座体は、前記足本体と柔軟性を有する合成樹脂で一体成形され、前記足本体の根元部において前記柱状体を足本体の中空部内に貫挿するための貫通孔が形成され、シート体に固定されるように形成された、綴じ足である。
この発明の請求項２にかかる綴じ足は、前記柱状体は、コイルばねからなる、請求項１に記載の綴じ足である。
この発明の請求項３にかかる綴じ足は、前記座体は、長さ方向を備え、複数の足部が、ファイル・バインダー類の規格に合う間隔をおいて、座体から突き出し設けられた、請求項１または２に記載の綴じ足である。
この発明の請求項４にかかる発明は、被綴じ物に当接されるシート体に、足部の根元近傍で固定され、且つ、被綴じ物に貫挿された足部を、被綴じ物をシート体に向けて押える押さえ体に貫挿させるように形成された、綴じ足であって、前記足部は、座体に連設され、前記足部は、被綴じ物の綴じ孔及び押さえ体の貫挿孔に貫挿される形状で直立性を有し、撓めて押さえ体に係止されるように、中空部の内面に可撓性付与部が形成された管状の足本体を備え、前記足本体は、撓めることが可能で復元力により直立するように、被綴じ物の厚さより若干高い高さまで可撓性付与部が形成され、前記座体は、足本体と柔軟性を有する合成樹脂で一体成形され、前記足本体の根元部において前記可撓性付与部を形成するための貫通孔が形成され、シート体に固定されるように形成された、綴じ足である。
【発明の効果】
【０００７】
この発明によれば、被綴じ物に貫挿される足部は、柔軟性を有する足本体と、被綴じ物の厚さより若干高い長さを有する、撓めることが可能で復元力のある柱状体とを備えているので、管状の足本体を被綴じ物に貫挿し、被綴じ物の表面側において押さえ体に貫挿されて突き出た管状の足本体を撓めて押さえ体に係止させて、被綴じ物を綴じ込むことができ、且つ長く保管しても、管状の足本体を押さえ体から外せば、復元力のある柱状体の作用により、管状の足本体と共に元の直立した状態に復元する。
そして、足部が座体に連設され、座体は足本体と柔軟性を有する合成樹脂で一体成形され、柱状体を足本体の中空部内に貫挿するための貫通孔が形成され、シート体に固定するように形成されているので、シート体、例えば、ファイル・バインダー類の表紙の綴じ代部に比較的簡単な作業により取り付けることができる。
請求項２の発明によれば、柱状体はコイルばねからなるので、直立状の状態から押さえ体に係止させるために撓めることが容易で、被綴じ物を足部から外したときは、柱状体の復元力により元の直立状の状態に戻ることが可能である。
請求項３の発明によれば、座体は、長さ方向を備え、複数の足部が、ファイル・バインダー類の規格に合う間隔をおいて、座体から突き出し設けられているので、例えば２穴、４穴などのファイル・バインダー類の綴じ具を容易に形成でき、例えばファイル・バインダー類の表紙などのシート体に穿設された綴じ足取り付け孔に貫挿し、座体をシート体、例えば表紙の綴じ代に固着するだけで、ファイル・バインダー類の綴じ具を比較的容易に完成させることができる。
請求項４の発明によれば、被綴じ物に貫挿される足部は、柔軟性を有する足本体と、被綴じ物の厚さより若干高い高さまで、撓めることが可能で復元力により直立するように可撓性付与部が形成されているので、管状の足本体を被綴じ物に貫挿し、押さえ体に貫挿されて被綴じ物の表面側に突き出た管状の足本体を撓めて押さえ体に係止させて、被綴じ物を綴じ込むことができ、且つ長く保管しても、管状の足本体を押さえ体から外せば、復元力のある可撓性付与部の作用により、管状の足本体と共に元の直立した状態に復元する。
そして、座体は足本体と柔軟性を有する合成樹脂で一体成形されて足部が座体に連設され、可撓性付与部を足本体の中空部の内面に形成するための貫通孔が形成され、シート体に固定するように形成されているので、シート体、例えば、ファイル・バインダー類の表紙の綴じ代部に比較的簡単な作業により取り付けることができる。
【０００８】
この発明の上述の目的、その他の目的、特徴および利点は、図面を参照して行う以下の発明の実施の形態の詳細な説明から一層明らかとなろう。
この特許請求の範囲及び明細書においていう「ファイル」及び「バインダー」は、略同義であるが、ファイルとは、概ね記録済みの文書（伝票・カタログ・書類など）を綴じ、または、挟み入れて整理・保管することのできる表紙をいい、バインダーとは、概ね未記録の綴じ穴のある用紙（ルーズリーフ・帳票など）を挿入し、記録できる、綴じ具付き表紙をいうことがある。
【発明を実施するための最良の形態】
【０００９】
図１は、この発明の一実施の形態である綴じ足の縦断面図解図である。図２は、図１図示綴じ足及び押さえ体の斜視図解図である。図３は、綴じ足の斜視図解図である。図４は、図１図示綴じ足の利用方法を示す斜視図解図である。図５は、図１図示綴じ足をファイルの表紙に取り付けた状態を示す斜視図解図である。図６は、図１図示綴じ足をファイルの表紙に取り付けた状態を示す斜視図解図である。
この発明にかかる綴じ足は、ファイル・バインダー類の綴じ具１に用いられる物であって、用箋等の被綴じ物Ｘに当接されるシート体１００に、その足部の根元近傍で固定され、且つ、その被綴じ物Ｘに貫挿された足部を、被綴じ物Ｘをシート体１００に向けて押さえる押さえ体３に貫挿させるように形成されている。
【００１０】
この綴じ足１０は、２穴型で、上下一対の足部１２と足部１４とを備え、前記足部１２及び足部１４は、各々根元近傍において座体１６に延設されている。
【００１１】
足部１２及び足部１４は、被綴じ物Ｘの厚さより若干高い長さを有する、撓めることが可能で復元力のある柱状体１８、この実施の形態においてはコイルばねからなる円柱状体を備える。
そして、足部１２及び足部１４は、被綴じ物Ｘの綴じ孔Ｘ1及び押さえ体３の貫挿孔５
に貫挿される形状で、前記柱状体１８の外周を被覆し、且つ、押さえ体３の貫挿孔５に貫挿されて、押さえ体３の係止部７に係止されるように、柱状体１８より長く形成された、柔軟性を有する管状の足本体２０を備える。柱状体１８は、鋼線をコイル形に密着させて巻いてなる密着バネ（引張りコイルバネ）で形成される。
【００１２】
座体１６は、前記足本体２０に一体成形され、前記柱状体１８を貫挿するための貫通孔２２が形成されて、シート体１００に固定されるように、その全体が適宜な幅及び長さを有する一定の面積を備え、シート体１００に取り付けられる面が形成されている。
また、座体１６は、一対の足部１２と足部１４との間隔よりも長く上下方向に延びる長さ方向を備える長方形状で、足本体２０と柔軟性を有する合成樹脂、例えば、Ｐ．Ｐ．（ポリプロピレン）またはＥＶＡ（エチレン酢酸ビニル共重合体）で一体成形されてなる。
【００１３】
足本体２０は、略中央まで略円筒状の円柱状体で、その先端には中央がやや膨み先端が細く突き出た頭部が形成されている。
そして、足本体２０は、柱状体１８を貫挿するための中空部２４が形成され、中空部２４は、足本体２０の根元から足本体２０の中央よりやや上側まで連続して形成され、被綴じ物Ｘの厚さより若干高い長さに形成される。そして、足本体２０は、中空部２４の上端から頭部に至るまで中実状に形成され、中空部２４が形成されていない。
座体１６の貫通孔２２と中空部２４とは、略同一の直径の平面円形であり、連通されている。また、中空部２４は、柱状体１８が密着バネのため、後述するように足本体２０をわん曲させたときに柱状体１８の全長が延びるので、柱状体１８の延びを含めた長さ（深さ）にしている。
【００１４】
複数の足部１２と足部１４とは、ファイル・バインダー類の規格（例えば、日本工業規格）に合う間隔をおいて、座体１６から突き出し設けられている。
そして、コイルばねからなる柱状体１８は、図２及び３において示すように、上方に伸び、座体１６の裏面側から座体１６の貫通孔２２より足本体２０の中空部２４内に貫挿される。そして、足本体２０の根元部から上方に伸びる柱状体１８が、被綴じ物Ｘの厚さより若干高い長さを有するので、柱状体１８の存在する部位で折り曲げ且つ押さえ体３に係止されて被綴じ物Ｘを綴じた状態で長く保管した後、綴じ足１０から被綴じ物Ｘを外したときには、柱状体１８の作用により、元の状態に復元し、綴じ足１０の足部１２及び足部１４が直立状となる。
【００１５】
この発明にかかる綴じ足１０を、シート体１００すなわちファイル・バインダー類の表紙に取り付けるには、ファイル・バインダー類の表紙を構成する表表紙１０２に連設された背表紙１０４と裏表紙１０６との間に連設された綴じ代部１０８に固定する。
シート体１００たる綴じ代部１０８は、この背表紙１０４と裏表紙１０６とに連設された折り畳み部１１０をもって形成されている。
折り畳み部１１０は、1対の表側折り畳み部１１２と裏側折り畳み部１１４とがその境
界において折り曲げられて対向させられてなる。
この実施の形態においては、図４及び５において示すように、綴じ足１０は、座体１６を表側折り畳み部１１２と裏側折り畳み部１１４の間に挟み、且つ足部１２及び足部１４をシート体１００を構成する表側折り畳み部１１２に穿設された綴じ足取り付け孔１１６に貫挿して取り付けられる。すなわち、座体１６の足部１２及び足部１４側面をシート体１００を構成する表側折り畳み部１１２の裏表紙１０６側と表側折り畳み部１１２に対向する裏側折り畳み部１１４との間に挟むようにして、表側折り畳み部１１２と裏側折り畳み部１１４との間に挟持する。
【００１６】
この実施の形態においては、柱状体１８は、背表紙１０４の幅すなわち背幅と同一かそれよりも若干高い高さを有し、足本体２０の中空部２４も、背表紙１０４の幅すなわち背幅と同一かそれよりも若干高い高さを備える。すなわち、足部１２及び足部１４は、足部１２及び足部１４に貫挿された被綴じ物Ｘの高さよりも高い長さを有し、足部１２及び足部１４を押さえ体３の貫挿孔５に貫挿し且つ足本体２０の存在する箇所で折り曲げて押さえ体３の係止部７に係止できるように形成されている。
この実施の形態においては、被綴じ物Ｘの最大綴じ幅（最大量綴じられた被綴じ物Ｘの厚さ）と押さえ体３の厚みと曲げられた足本体２０の太さとを合わせた長さが、背表紙１０４の幅すなわち背幅と略々同一の長さとなるように、形成されている。
従って、復元力のある柱状体１８の作用により、折り曲げられた管状の足本体２０とともに元の直立した状態に復元する。
座体１６は、前記したように、表側折り畳み部１１２と裏側折り畳み部１１４との間に挟持されるに適するように比較的薄く形成されているが、その長さ方向において撓みにくい堅さを有している。
【００１７】
柱状体１８は、座体１６の貫通孔２２から足本体２０の中空部２４内に貫挿するように形成されているので、座体１６の裏面側より貫通孔２２から足本体２０の中空部２４内に比較的容易に挿入し、柱状体１８を足本体２０の中空部２４内に貫挿させることができる。従って、柱状体１８を足本体２０に固定する作業が比較的簡単となる。
また、足本体２０と座体１６とは、柔軟性を有する合成樹脂で一体成形されているので、座体１６の裏面の貫通孔２２から足本体２０に柱状体１８を貫挿するだけで、綴じ足１０を完成させることができる。従って、その製造作業が比較的容易である。
しかも、足本体２０は、柱状体１８を貫挿するための中空部２４が形成され、座体１６の貫通孔２２と連通されているので、柱状体１８を中空部２４内に挿入する作業が容易であり、綴じ足１０の製造工程を簡略化することができる。
【００１８】
次に、この発明にかかる別の実施の形態である綴じ足について説明する。
図７は、この発明の別の実施の形態である綴じ足の縦断面図解図である。図８は、図７図示綴じ足及び押さえ体の斜視図解図である。図９は、綴じ足の斜視図解図である。図１０は、図７図示綴じ足の利用方法を示す斜視図解図である。図１１は、図７図示綴じ足をファイルの表紙に取り付けた状態を示す斜視図解図である。図１２は、図７図示綴じ足をファイルの表紙に取り付けた状態を示す斜視図解図である。
この発明にかかる別の実施の形態である綴じ足は、前記実施の形態である綴じ足と同様に、ファイル・バインダー類の綴じ具１に用いられる物であって、用箋等の被綴じ物Ｘに当接されるシート体１００に、その足部の根元近傍で固定され、且つ、その被綴じ物Ｘに貫挿された足部を、被綴じ物Ｘをシート体１００に向けて押さえる押さえ体３に貫挿させるように形成されている。
以下、同一性を有する部分については同一の符号を用いて説明する。
【００１９】
この綴じ足４１０は、２穴型で、上下一対の足部１２と足部１４とを備え、前記足部１２及び足部１４は、各々根元近傍において座体１６に延設されている。
【００２０】
足部１２及び足部１４は、被綴じ物Ｘの厚さより若干高い長さを有する、撓めることが可能で復元力のある柱状体４１８、この実施の形態においてはコイルばねからなる円柱状体を備える。
そして、足部１２及び足部１４は、被綴じ物Ｘの綴じ孔Ｘ1及び押さえ体３の貫挿孔５
に貫挿される形状で、前記柱状体４１８の外周を被覆し、且つ、押さえ体３の貫挿孔５に貫挿されて、押さえ体３の係止部７に係止されるように、柱状体４１８より長く形成された、柔軟性を有する管状の足本体２０を備える。
柱状体４１８は、鋼線をコイル形に離間させて巻いてなる圧縮バネで形成される。
【００２１】
座体１６は、前記足本体２０に一体成形され、前記柱状体４１８を貫挿するための貫通孔２２が形成されて、シート体１００に固定されるように、その全体が適宜な幅及び長さを有する一定の面積を備え、シート体１００に取り付けられる面が形成されている。
また、座体１６は、一対の足部１２と足部１４との間隔よりも長く上下方向に延びる長さ方向を備える長方形状で、足本体２０と柔軟性を有する合成樹脂、例えば、Ｐ．Ｐ．（ポリプロピレン）またはＥＶＡ（エチレン酢酸ビニル共重合体）で一体成形されてなる。
【００２２】
足本体２０は、略中央まで略円筒状の円柱状体で、その先端には中央がやや膨み先端が細く突き出た頭部が形成されている。
そして、足本体２０は、柱状体４１８を貫挿するための中空部４２４が形成され、中空部４２４は、足本体２０の根元から足本体２０の中央よりやや上側まで連続して形成され、被綴じ物Ｘの厚さより若干高い長さに形成される。そして、足本体２０は、中空部４２４の上端から頭部に至るまで中実状に形成され、中空部４２４が形成されていない。
座体１６の貫通孔２２と中空部４２４とは、略同一の直径の平面円形であり、連通されている。中空部４２４は、柱状体４１８の長さと略々同一の長さ（深さ）に形成されている。
【００２３】
複数の足部１２と足部１４とは、ファイル・バインダー類の規格（例えば、日本工業規格）に合う間隔をおいて、座体１６から突き出し設けられている。
そして、コイルばねからなる柱状体４１８は、図８及び９において示すように、上方に伸び、座体１６の裏面側から座体１６の貫通孔２２より足本体２０の中空部４２４内に貫挿される。そして、足本体２０の根元部から上方に伸びる柱状体４１８が、被綴じ物Ｘの厚さより若干高い長さを有するので、柱状体４１８の存在する部位で折り曲げ且つ押さえ体３に係止されて被綴じ物Ｘを綴じた状態で長く保管した後、綴じ足４１０から被綴じ物Ｘを外したときには、柱状体４１８の作用により、元の状態に復元し、綴じ足４１０の足部１２及び足部１４が直立状となる。
【００２４】
この発明にかかる綴じ足４１０を、シート体１００すなわちファイル・バインダー類の表紙に取り付けるには、ファイル・バインダー類の表紙を構成する表表紙１０２に連設された背表紙１０４と裏表紙１０６との間に連設された綴じ代部１０８に固定する。
シート体１００たる綴じ代部１０８は、この背表紙１０４と裏表紙１０６とに連設された折り畳み部１１０をもって形成されている。
折り畳み部１１０は、1対の表側折り畳み部１１２と裏側折り畳み部１１４とがその境
界において折り曲げられて対向させられてなる。
この実施の形態においては、図１０及び１１において示すように、綴じ足４１０は、座体１６を表側折り畳み部１１２と裏側折り畳み部１１４の間に挟み、且つ足部１２及び足部１４をシート体１００を構成する表側折り畳み部１１２に穿設された綴じ足取り付け孔１１６に貫挿して取り付けられる。すなわち、座体１６の足部１２及び足部１４側面をシート体１００を構成する表側折り畳み部１１２の裏表紙１０６側と表側折り畳み部１１２に対向する裏側折り畳み部１１４との間に挟むようにして、表側折り畳み部１１２と裏側折り畳み部１１４との間に挟持する。
【００２５】
この実施の形態においては、柱状体４１８は、背表紙１０４の幅すなわち背幅と同一かそれよりも若干高い高さを有し、足本体２０の中空部４２４も、背表紙１０４の幅すなわち背幅と同一かそれよりも若干高い高さを備える。すなわち、足部１２及び足部１４は、足部１２及び足部１４に貫挿された被綴じ物Ｘの高さよりも高い長さを有し、足部１２及び足部１４を押さえ体３の貫挿孔５に貫挿し且つ足本体２０の存在する箇所で折り曲げて押さえ体３の係止部７に係止できるように形成されている。
この実施の形態においては、被綴じ物Ｘの最大綴じ幅（最大量綴じられた被綴じ物Ｘの厚さ）と押さえ体３の厚みと曲げられた足本体２０の太さとを合わせた長さが、背表紙１０４の幅すなわち背幅と略々同一の長さとなるように、形成されている。
従って、復元力のある柱状体４１８の作用により、折り曲げられた管状の足本体２０とともに元の直立した状態に復元する。
座体１６は、前記したように、表側折り畳み部１１２と裏側折り畳み部１１４との間に挟持されるに適するように比較的薄く形成されているが、その長さ方向において撓みにくい堅さを有している。
【００２６】
柱状体４１８は、座体１６の貫通孔２２から足本体２０の中空部４２４内に貫挿するように形成されているので、座体１６の裏面側より貫通孔２２から足本体２０の中空部４２４内に比較的容易に挿入し、柱状体４１８を足本体２０の中空部４２４内に貫挿させることができる。従って、柱状体４１８を足本体２０に固定する作業が比較的簡単となる。
また、足本体２０と座体１６とは、柔軟性を有する合成樹脂で一体成形されているので、座体１６の裏面の貫通孔２２から足本体２０に柱状体４１８を貫挿するだけで、綴じ足４１０を完成させることができる。従って、その製造作業が比較的容易である。
しかも、足本体２０は、柱状体４１８を貫挿するための中空部４２４が形成され、座体１６の貫通孔２２と連通されているので、柱状体４１８を中空部４２４内に挿入する作業が容易であり、綴じ足４１０の製造工程を簡略化することができる。
【００２７】
この発明は、前記実施の形態の綴じ足に限らず、この発明の思想に基づき種々変更することができる。
例えば、柱状体１８として、角柱状体の薄板バネを用いてもよい。
また、図１３において示すように、足部は、被綴じ物Ｘの綴じ孔Ｘ1及び押さえ体３の貫挿孔５に貫挿される形状で、押さえ体３の係止部７に係止されるように形成された撓めることができ且つ自立性を有する足部２１２としてもよい。この足部２１２は、撓めることが可能で復元力により直立するように、その中空部２２４内面に被綴じ物Ｘの厚さより若干高い高さまで可撓性付与部２１８が形成されている。
この可撓性付与部２１８は、管状の足本体２２０の中空部２２４の内面にねじ穴が形成されてなる。
前記座体２１６は、足本体２２０と柔軟性を有する合成樹脂で一体成形され、前記足本体２２０の根元部において前記可撓性付与部２１８を形成するための貫通孔２２２が形成され、前記足部２１２は、前記座体２１６に連設され、シート体１００に固定されるように形成されている。
座体２１６の貫通孔２２２は、可撓性付与部２１８を合成樹脂で成形するときに、貫通孔２２２の中空部２２４を形成するための金型（コア部分）が入り込むために形成される。
【図面の簡単な説明】
【００２８】
【図１】この発明の一実施の形態である綴じ足の縦断面図解図である。
【図２】図１図示綴じ足及び押さえ体の斜視図解図である。
【図３】綴じ足の斜視図解図である。
【図４】図１図示綴じ足の利用方法を示す斜視図解図である。
【図５】図１図示綴じ足をファイルの表紙に取り付けた状態を示す斜視図解図である    。
【図６】図１図示綴じ足をファイルの表紙に取り付けた状態を示す斜視図解図である    。
【図７】この発明の別の実施の形態である綴じ足の縦断面図解図である。
【図８】図７図示綴じ足及び押さえ体の斜視図解図である。
【図９】綴じ足の斜視図解図である。
【図１０】図７図示綴じ足の利用方法を示す斜視図解図である。
【図１１】図７図示綴じ足をファイルの表紙に取り付けた状態を示す斜視図解図である    。
【図１２】図７図示綴じ足をファイルの表紙に取り付けた状態を示す斜視図解図である    。
【図１３】更に別の実施の形態である綴じ足の斜視図解図である。
【符号の説明】
【００２９】
１  綴じ具
３  押さえ体
５  貫挿孔
７  係止部
１０，２１０，４１０  綴じ足
１２，２１２  足部
１４  足部
１６，２１６  座体
１８，４１８  柱状体
２１８  可撓性付与部
２０，２２０  足本体
２２，２２２  貫通孔
２４，２２４，４２４  中空部
１００  シート体
１０２  表表紙
１０４  背表紙
１０６  裏表紙
１０８  綴じ代部
１１０  折り畳み部
１１２  表側折り畳み部
１１４  裏側折り畳み部
１１６  綴じ足取り付け孔
Ｘ  被綴じ物
Ｘ1  綴じ孔
【図１】
2006263917.tif 000003
【図２】
2006263917.tif 000004
【図３】
2006263917.tif 000005
【図４】
2006263917.tif 000006
【図５】
2006263917.tif 000007
【図６】
2006263917.tif 000008
【図７】
2006263917.tif 000009
【図８】
2006263917.tif 000010
【図９】
2006263917.tif 000011
【図１０】
2006263917.tif 000012
【図１１】
2006263917.tif 000013
【図１２】
2006263917.tif 000014
【図１３】
2006263917.tif 000015